(57)【要約】【課題】回路面積を増大させずにインダクタンスを大きくすることができる増幅器及び無線機を提供すること。【解決手段】増幅器が、基板と、前記基板上に配置され、入力信号を増幅して出力する第１〜第４の増幅部と、前記基板上に配線され、前記第１の増幅部の出力と前記第２の増幅部の出力、前記第２の増幅部の出力と前記第３の増幅部の出力、前記第３の増幅部の出力と前記第４の増幅部の出力、及び前記第４の増幅部の出力と前記第１の増幅部の出力とをそれぞれ接続し、少なくとも一つの蛇行部を備えた第１〜第４の誘導性線路と、前記第１〜第４の誘導性線路と磁界結合する第５の誘導性線路とを備える。【選択図】図２
2010212795.tif 000002
【特許請求の範囲】
【請求項１】
基板と、
前記基板上に配置され、入力信号を増幅して出力する第１〜第４の増幅部と、
前記基板上に配線され、前記第１の増幅部の出力と前記第２の増幅部の出力、前記第２の増幅部の出力と前記第３の増幅部の出力、前記第３の増幅部の出力と前記第４の増幅部の出力、及び前記第４の増幅部の出力と前記第１の増幅部の出力とをそれぞれ接続し、少なくとも一つの蛇行部を備えた第１〜第４の誘導性線路と、
前記第１〜第４の誘導性線路と磁界結合する第５の誘導性線路と
を備えることを特徴とする増幅器。
【請求項２】
前記第１〜第４の増幅部がそれぞれ正負の出力端子を備える一対の増幅素子を有し、
前記正の出力端子同士が前記第１〜第４の誘導性線路によって接続され、
前記負の出力端子は、それぞれ対となる増幅素子の負の出力端子と接続されること
を特徴とする請求項１に記載の増幅器。
【請求項３】
前記蛇行部の略中央部にそれぞれ配置され、前記第１〜第４の増幅器の電源電圧を供給する第１〜第４の電源端子を前記第１〜第４の誘導配線がさらに備えることを特徴とする請求項１または２に記載の増幅器。
【請求項４】
前記第１〜第４の誘導性線路は、前記第１〜第４の増幅部を頂点として、矩形形状に配線されることを特徴とする請求項１ないし３のいずれか１項に記載の増幅器。
【請求項５】
前記第１〜第４の誘導性線路の少なくとも一つが、
前記第１〜第４の増幅部のうちの１の増幅部に接続される一端を備える第１の直線部と、
前記１の増幅部と接続される２の増幅部に接続される一端を備える第２の直線部と
を有し、
前記蛇行部が、
前記第１の直線部の他端に接続される一端を備え、前記第１の直線部が配設された方向とは異なる方向を向く第３の直線部と、
前記第２の直線部の他端に接続される一端を備え、前記第２の直線部が配設された方向とは異なる方向を向く第４の直線部と、
前記第３及び第４の直線部の他端同士を接続する第５の直線部と
を有することを特徴とする請求項１ないし４のいずれか１項に記載の増幅器。
【請求項６】
前記第１〜第４の誘導性線路の少なくとも一つが、
前記第１の直線部の他端及び前記第３の直線部の一端を接続する第６の直線部と、
前記第２の直線部の他端及び前記第４の直線部の一端を接続する第７の直線部と、
前記第３の直線部の他端及び前記第５の直線部の一端を接続する第８の直線部と、
前記第４の直線部の他端及び前記第５の直線部の他端を接続する第９の直線部と、
を有することを特徴とする請求項５に記載の増幅器。
【請求項７】
前記第１〜第４の誘導性線路の少なくとも一つが、
前記第１〜第４の増幅部のうちの１の増幅部に接続される一端を備える第１０の直線部と、
前記１の増幅部と接続される２の増幅部に接続される一端を備える第１１の直線部と
を有し、
前記蛇行部が、
前記第１０の直線部の他端に接続される一端を備え、前記第１０の直線部が配設された方向とは異なる第１の方向を向く第１２の直線部と、
前記第１１の直線部の他端に接続される一端を備え、前記第１１の直線部が配設された方向とは異なる第２の方向を向く第１３の直線部と、
前記第１２の直線部の他端に接続される一端を備え、前記第１の方向とは異なる第３の方向を向く第１４の直線部と、
前記第１３の直線部の他端に接続される一端を備え、前記第２の方向とは異なる第４の方向を向く第１５の直線部と、
前記第１４及び第１５の直線部の他端同士を接続する第１６の直線部と
を有することを特徴とする請求項１ないし４のいずれか１項に記載の増幅器。
【請求項８】
前記第１〜第４の誘導性線路のうちの少なくとも二つが、
前記第１２または第１３の直線部同士が交差する交差部を備えることを特徴とする請求項７に記載の増幅器。
【請求項９】
前記第１〜第４の誘導性線路は、前記第１〜第４の電源端子を頂点として、矩形形状に配線され、
前記第１の増幅部が前記第１の電源端子と前記第２の電源端子の中間地点、前記第２の増幅部が前記第２の電源端子と前記第３の電源端子の中間地点、前記第３の増幅部が前記第３の電源端子と前記第４の電源端子の中間地点、前記第４の増幅部が前記第４の電源端子と前記第１の電源端子の中間地点にそれぞれ配置され、
前記蛇行部が、
前記電源端子に接続される一端を備えた第１７の直線部と、
前記第１７の直線部の他端に接続される一端を備え、前記第１７の直線部が配設された方向とは異なる第５の方向を向く第１８の直線部と、
前記第１８の直線部と、前記第１〜第４の増幅部のうちの１の増幅部とを接続する第１９の直線部と、
前記電源端子に接続される一端を備え、第１７の直線部が配設された方向とは異なる第６の方向を向く第２０の直線部と、
前記第２０の直線部の他端に接続される一端を備え、前記第６の方向とは異なる第７の方向を向く第２１の直線部と、
前記第２１の直線部と、前記第１〜第４の増幅部の内の２の増幅部とを接続する第２２の直線部と
を有することを特徴とする請求項３に記載の増幅器。
【請求項１０】
少なくとも前記第１の誘導性配線と前記第１電源端子との間に配置されたチョーク用インダクタをさらに備えることを特徴とする請求項３ないし９のいずれか１項に記載の増幅器。
【請求項１１】
入力された信号を通信用の周波数の信号に変換する変換部と、
前記変換部で変換された信号を増幅する請求項１ないし１０のいずれか１項に記載の増幅器と
を具備することを特徴とする無線機。
【発明の詳細な説明】
【技術分野】
【０００１】
本発明は、増幅器及び無線機に関する。
【背景技術】
【０００２】
従来、複数のプッシュプル増幅器を相互に、かつ環状に接続して電力を増幅する増幅器が知られている(例えば、特許文献１参照)。この増幅器では、各プッシュプル増幅器の接続に直線状の誘導性導体を用いており、この誘導性導体は出力トランスを構成している。この出力トランスにより出力電力の合成と、インピーダンスの変換を併せて行い、高出力な高周波増幅器を実現することが可能である。
【先行技術文献】
【特許文献】
【０００３】
【特許文献１】特開２００５−５０３６７９号公報
【発明の概要】
【発明が解決しようとする課題】
【０００４】
上記した技術では、回路動作に必要なインダクタンスに対応させるため、誘導性導体を延長させることがある。しかし、誘導性導体を延長させたことに対応してトランス全体のサイズが増加してしまい、全体の回路面積が増大してしまうことが多い。
本発明は、かかる従来の問題を解消すべくなされたもので、回路面積を増大させずにインダクタンスを大きくすることができる増幅器及び無線機を提供することを目的とする。
【課題を解決するための手段】
【０００５】
上記の目的を達成するために本発明の一態様にかかる増幅器は、基板と、前記基板上に配置され、入力信号を増幅して出力する第１〜第４の増幅部と、前記基板上に配線され、前記第１の増幅部の出力と前記第２の増幅部の出力、前記第２の増幅部の出力と前記第３の増幅部の出力、前記第３の増幅部の出力と前記第４の増幅部の出力、及び前記第４の増幅部の出力と前記第１の増幅部の出力とをそれぞれ接続し、少なくとも一つの蛇行部を備えた第１〜第４の誘導性線路と、前記第１〜第４の誘導性線路と磁界結合する第５の誘導性線路とを備えることを特徴とする。
【０００６】
本発明の一態様にかかる無線機は、入力された信号を通信用の周波数の信号に変換する変換部と、前記変換部で変換された信号を増幅する上記した増幅器とを具備することを特徴とする。
【発明の効果】
【０００７】
本発明によれば、回路面積を増大させずにインダクタンスを大きくすることができる増幅器及び無線機を提供することができる。
【図面の簡単な説明】
【０００８】
【図１】第１の実施の形態に係る無線機１を示すブロック図。
【図２】無線機１が備える増幅器１１０の構造を示す図。
【図３】第１の誘導性導体１１５〜１１８を示す概略図。
【図４】第１導線部１１５ａ、第２導線部１１５ｂ及び第３導線部１１５ｃを拡大して示す図。
【図５】第２導線部１１５ｂの線路長とインダクタンスの関係を示す特性図。
【図６】本発明の第２の実施の形態に係る増幅器２１０を示す図。
【図７】本発明の第３の実施の形態に係る増幅器３１０を示す図。
【図８】増幅器３１０が備える第１の誘導性導体３１５〜３１８を示す概略図。
【図９】本発明の第４の実施の形態に係る増幅器４１０を示す図。
【図１０】本発明の第５の実施の形態に係る増幅器５１０を示す図。
【図１１】増幅器５１０が備える第１導線部１１５ａ、第２導線部１１５ｂ、第３導線部１１５ｃ、チョークインダクタ５００ａを拡大して示す図。
【図１２】増幅器５１０が備える第２導線部１１５ｂ及びチョークインダクタ５００ａの線路長とインダクタンスの関係を示す特性図。
【発明を実施するための形態】
【０００９】
（第１の実施の形態）
以下、図面を参照して本発明の第１の実施の形態について詳細に説明する。
図１に示すように、この第１の実施の形態に係る無線機１は、送信信号生成部１０１、周波数変換部１０５、増幅器１１０及びアンテナ１５０を備える。
送信信号生成部１０１は、通信相手となる図示しない無線機に対して送信される信号を生成する。送信信号生成部１０１は、例えば変調部（ＭＯＤ：Modulator）１０１ａ及びＤＡＣ（Digital to Analog Converter）１０１ｂを備える。
変調部１０１ａは入力されたデジタル信号を所定の変調方式で変調する。
ＤＡＣ１０１ｂは、変調部１０１ａで変調されたデジタル信号をアナログ信号に変換する。
周波数変換部１０５は発振器１０５ａ及びミキサ１０５ｂを備える。
発振器１０５ａは、送信信号生成部１０１から出力されたアナログ信号を送信周波数の信号に変換するためのローカル信号を生成する。
ミキサ１０５ｂは、発振器１０５ａで生成されたローカル信号と、ＤＡＣ１０１ｂで変換されたアナログ信号とを混合する。
増幅器１１０は、送信信号生成部１０１で生成された送信周波数の信号を所定の電力に増幅する。増幅器１１０で増幅された信号はアンテナ１５０を介して図示しない通信相手たる無線機に送信される。
【００１０】
図２に示すように、増幅器１１０は、複数の利得段１１１〜１１４、誘導性を持つ第１の導体（以下、第１の誘導性導体と称す。）１１５〜１１８、誘導性を持つ第２の導体（以下、第２の誘導性導体と称す。）１２３及びＤＣ電源ＶＤＤ１２５ａ〜１２５ｄを備える。
ここで「誘導性を持つ」とは、所定の交流（高周波）電流が流されたときにインダクタとして作用する特性を備えることを意味するものである。
増幅器１１０を構成する各要素は、例えばシリコンで形成された回路基板１２４上面に配設される。
回路基板１２４は、増幅器１１０をなす利得段１１１〜１１４、第１の誘導性導体１１５〜１１８及び第２の誘導性導体１２３の形成後に、増幅器１１０を覆うように絶縁性樹脂によって上面をモールドされる。なお、図中の回路基板１２４を示す破線は、回路基板１２４上の増幅器１１０が設けられる領域を仮想的に示すものであり、回路基板１２４の形状及び大きさを限定するものではない。
回路基板１２４には、利得段１１１〜１１４、第１の誘導性導体１１５〜１１８及び第２の誘導性導体１２３だけでなく、利得段１１１〜１１４と送信信号生成部１０１及びまたは周波数変換部１０５とを接続する配線が配置されてもよい。また、回路基板１２４には送信信号生成部１０１及びまたは周波数変換部１０５が配置されてもよい。
【００１１】
利得段１１１〜１１４は、回路基板１２４上の仮想的な円Ｃ１の円周上にそれぞれ分散されて配置される。なお、この実施の形態では、回路基板１２４に４つの利得段１１１〜１１４が設けられる例を説明するが、利得段の個数は２つ以上であればよい。
利得段１１１〜１１４は、それぞれ一対のサブ利得段１１１ａ,１１１ｂ〜１１４ａ,１１４ｂを備える。
【００１２】
サブ利得段１１１ａ,１１１ｂは、それぞれトランジスタを有し、全体でプッシュプル増幅器として機能する。サブ利得段１１１ａ,１１１ｂはそれぞれ正負の入力端子及び出力端子を備える。サブ利得段１１１ａ,１１１ｂの負の出力端子は互いに電気的に接続される。同様に、サブ利得段１１２ａ,１１２ｂ…１１４ａ,１１４ｂそれぞれの負の出力端子同士は電気的に接続される。
サブ利得段１１１ａ及びサブ利得段１１２ｂの正の出力端子は、互いに第１の誘導性導体１１５によって接続される。同様に、サブ利得段１１２ａ及びサブ利得段１１３ｂ…サブ利得段１１４ａ及びサブ利得段１１１ｂのそれぞれの正の出力端子はそれぞれ第１の誘導性導体１１６〜１１８によって互いに接続される。
すなわち、サブ利得段１１１ａ,１１１ｂ〜１１４ａ,１１４ｂを角とし、第１の誘導性導体１１５〜１１８を辺とした略正方形をなしている。そして、サブ利得段１１１ａ,１１１ｂ〜１１４ａ,１１４ｂの負の出力端子の電気的な接続と、第１の誘導性導体１１５〜１１８によって閉ループが形成される。なお、各サブ利得段１１１ａ,１１１ｂ〜１１４ａ,１１４ｂは、それぞれの利得が等しいことが望ましい。
ＤＣ電源ＶＤＤ１２５ａは、第１の誘導性導体１１５の略中点に配置され、第１の誘導性導体１１５にサブ利得段１１１ａ及びサブ利得段１１２ｂの電源電圧を供給する。
同様に、ＤＣ電源ＶＤＤ１２５ｂ〜１２５ｄは、それぞれ第１の誘導性導体１１６〜第１の誘導性導体１１８の略中点に配置され、各誘導性導体１１６〜１１８にサブ利得段１１２ａ及びサブ利得段１１３ｂ…サブ利得段１１４ａ及びサブ利得段１１１ｂの電源電圧をそれぞれ供給する。なお、ＤＣ電源ＶＤＤ１２５ａ〜１２５ｄ電圧値はそれぞれ等しいことが望ましい。
【００１３】
第１の誘導性導体１１５〜１１８は第１〜第４の誘導性線路をなす。第１の誘導性導体１１５〜１１８は、利得段１１１〜１１４の出力電力を合成する出力トランスの１次側配線として機能する。第１の誘導性導体１１５〜１１８のインダクタンス値は全て等しいことが望ましい。
第２の誘導性導体１２３は、利得段１１１〜１１４の出力トランスの２次側配線として機能する。この電力合成により、第２の誘導性導体１２３の端部が接続される出力端子間１２３ａ、１２３ｂに合成された電力の信号が出力される。第２の誘導性導体１２３は、第１の誘導性導体１１５〜１１８がなす閉ループの内側に設けられる。第２の誘導性導体１２３の形状は、第１の誘導性導体１１５〜１１８と対応して略同一形状とされている。
【００１４】
次に図３を用いて第１の誘導性導体１１５〜１１８の構成を詳細に説明する。なお図３では、説明を解りやすくするため第２の誘導性導体１２３を省略している。
図３に示すように第１の誘導性導体１１５は、それぞれ直線状の第１導線部１１５ａ〜第６導線部１１５ｆが接続されて構成されている。
同様に、第１の誘導性導体１１６は第１導線部１１６ａ〜第６導線部１１６ｆが、第１の誘導性導体１１７は第１導線部１１７ａ〜第６導線部１１７ｆが、第１の誘導性導体１１８は第１導線部１１８ａ〜第６導線部１１８ｆがそれぞれ接続されて構成されている。
【００１５】
第１の誘導性導体１１５において、第１導線部１１５ａは第１の直線部をなしている。また、第６導線部１１５ｆは第２の直線部をなしている。第１導線部１１５ａは、一端がサブ利得段１１１ａの正の出力端子に接続される。第６導線部１１５ｆは、一端がサブ利得段１１２ｂの正の出力端子に接続される。第１導線部１１５ａ及び第６導線部１１５ｆは、回路基板１２４上の仮想的な正方形の一辺に沿って配置されている。ここで、「一辺に沿って」とは、仮想的な正方形の一辺と略平行であることを指す。
第２導線部１１５ｂは第３の直線部をなしている。第５導線部１１５ｅは第４の直線部をなしている。第３導線部１１５ｃ及び第４導線部１１５ｄは、第５の直線部をなしている。すなわち、第２導線部１１５ｂ〜第５導線部１１５ｅは蛇行部である。第２導線部１１５ｂ〜第５導線部１１５ｅは、仮想的な正方形の内側に向かって屈曲する凹部を構成する。すなわち、第２導線部１１５ｂ及び第５導線部１１５ｅは、それぞれ第１導線部１１５ａ及び第６導線部１１５ｆから仮想的な正方形の内側に略直角に屈曲し、所定の線路長を持って配置されている。また、第３導線部１１５ｃ及び第４導線部１１５ｄは、第２導線部１１５ｂ及び第５導線部１１５ｅの屈曲した端部を互いに接続する。
第３導線部１１５ｃ及び第４導線部１１５ｄは、互いに一端を共有し、ＤＣ電源ＶＤＤ１２５ａの端子にそれぞれ一体的に接続される。
【００１６】
なお、上記説明では、直線状の第１導線部１１５ａ及び第６導線部１１５ｆに、第３導線部１１５ｃ〜第５導線部１１５ｅの蛇行部を設けるものとしているが、これに限定されない。例えば、第１導線部１１５ａ及び第６導線部１１５ｆが、仮想的な正方形の一辺と略平行でなくてもよい。すなわち、第１導線部１１５ａ及び第６導線部１１５ｆ間に蛇行部が形成されていれば、種々の変形を加えても構わない。
具体的には、第１導線部１１５ａ及び第６導線部１１５ｆが互いに平行でなく、仮想的な正方形の一辺と沿わないものであってもよいし、互いに平行ではあるが、仮想的な正方形の一辺と沿わないものであってもよい。
また、上記説明では、第２導線部１１５ｂ及び第５導線部１１５ｅは、それぞれ第１導線部１１５ａ及び第６導線部１１５ｆから仮想的な正方形の内側に略直角に屈曲するものとしているが、これに限定されない。すなわち、第２導線部１１５ｂ及び第５導線部１１５ｅは、それぞれ第１導線部１１５ａ及び第６導線部１１５ｆから０°より大きな角度であれば、所定の角度で屈曲させることができる。
【００１７】
第１の誘導性導体１１５と同様に、第１の誘導性導体１１６〜１１８において、第１導線部１１６ａ及び第６導線部１１６ｆ…第１導線部１１８ａ及び第６導線部１１８ｆはそれぞれ第１の直線部及び第２の直線部をなしている。第１導線部１１６ａ、１１７ａ、１１８ａは、それぞれ一端がサブ利得段１１２ａ、１１３ａ、１１４ａの正の出力端子に接続される。第６導線部１１６ｆ、１１７ｆ、１１８ｆは、それぞれ一端がサブ利得段１１３ｂ、１１４ｂ、１１１ｂの正の出力端子に接続される。第１導線部１１６ａ及び第６導線部１１６ｆ…第１導線部１１８ａ及び第６導線部１１８ｆは回路基板１２４上の仮想的な正方形の一辺に沿って配置されている。
【００１８】
また、第１の誘導性導体１１６〜１１８において、第２導線部１１６ｂ及び第５導線部１１６ｅ…第２導線部１１８ｂ及び第５導線部１１８ｅはそれぞれ第３の直線部及び第４の直線部をなしている。第３導線部１１６ｃ及び第４導線部１１６ｄ…第３導線部１１８ｃ及び第４導線部１１８ｄは、それぞれ第５の直線部をなしている。
すなわち、第２導線部１１６ｂ〜第５導線部１１６ｅ…第２導線部１１８ｂ〜第５導線部１１８ｅはそれぞれ蛇行部である。
第２導線部１１６ｂ〜第５導線部１１６ｅ…第２導線部１１８ｂ〜第５導線部１１８ｅは、それぞれ仮想的な正方形の内側に向かって屈曲する凹部を構成する。
すなわち、第２導線部１１６ｂ及び第５導線部１１６ｅ…第２導線部１１８ｂ及び第５導線部１１８ｅは、それぞれ第１導線部１１６ａ及び第６導線部１１６ｆ…第１導線部１１８ａ及び第６導線部１１８ｆから仮想的な正方形の内側に略直角に屈曲し、所定の線路長を持って配置されている。また、第３導線部１１６ｃ及び第４導線部１１６ｄ…第３導線部１１８ｃ及び第４導線部１１８ｄは、それぞれ第２導線部１１６ｂ及び第５導線部１１６ｅの一端を互いに接続する。
第３導線部１１６ｃ及び第４導線部１１６ｄ…第３導線部１１８ｃ及び第４導線部１１８ｄは、それぞれ一端を共有し、ＤＣ電源ＶＤＤ１２５ｂ…ＤＣ電源ＶＤＤ１２５ｄの端子にそれぞれ一体的に接続される。
【００１９】
以上のような構成を備える増幅器１１０では、サブ利得段１１１ａ、１１２ａ、１１３ａ、１１４ａにはそれぞれ同相の信号が入力される。また、サブ利得段１１１ｂ、１１２ｂ、１１３ｂ、１１４ｂには、サブ利得段１１１ａ、１１２ａ、１１３ａ、１１４ａに入力される信号の逆相の信号が入力される。
このことにより、第１〜第３導線部１１５ａ〜１１５ｃ…１１８ａ〜１１８ｃにはそれぞれ同相の電流が流れる。また、第４〜第６導線部１１５ｄ〜１１５ｆ…１１８ｄ〜１１８ｆには第１〜第３導線部１１５ａ〜１１５ｃ…１１８ａ〜１１８ｃに流れた電流とは逆相の電流が流れる。
そして第１の誘導性導体１１５〜１１８と第２の誘導性導体１２３との間の磁界結合により電力の合成が行われる。
【００２０】
次に図４、図５を用いて、第２導線部１１５ｂ…１１８ｂの線路長とインダクタンスの関係について説明する。
第１の誘導性導体１１５…１１８は、それぞれほぼ同じ構成を有し、共通する作用を発揮するのでここでは第１の誘導性導体１１５について詳細に説明し、その他の第１の誘導性導体１１６〜１１８については説明を省略する。
また、第１の誘導性導体１１５の第１〜第３導線部１１５ａ〜１１５ｃと第４〜第６導線部１１５ｄ〜１１５ｆは、互いにＤＣ電源ＶＤＤ１２５ａの配置位置を対称線とした線対称性を有しているのでここでは第１〜第３導線部１１５ａ〜１１５ｃについて詳細に説明し、その他の第４〜第６導線部１１５ｄ〜１１５ｆについては説明は省略する。
【００２１】
図４に示すように、第１〜第３導線部１１５ａ〜１１５ｃの幅Ｗはそれぞれ共通して３０[μｍ]に形成されている。また、第１導線部１１５ａは、線路長が第２導線部１１５ｂの中心線（図中の破線）から３５０[μｍ]となるように形成されている。第３導線部１１５ｃは、線路長が第２導線部１１５ｂの中心線から１５０[μｍ]となるように形成されている。
第１、第３導線部１１５ａ、１１５ｃを上記のように形成したときに第２導線部１１５ｂの線路長Ａを０〜２５０[μｍ]とした場合に得られるインダクタンスを図５に示す。
すなわち、図５は第２導線部１１５ｂの線路長Ａの増分と、第１〜第３導線部１１５ａ〜１１５ｃにより得られるインダクタンス成分との関係を示している。
第２導線部１１５ｂの線路長を０〜２５０[μｍ]の範囲で変化させた場合には、線路長Ａの長さに対応してインダクタンス値が０．４〜０．６[ｎＨ]の間で順に増加する。特に、線路長Ａを５０[μｍ]以上とした場合、インダクタンスの値の増加が顕著になる。
以上のように、第２導線部１１５ｂの線路長を延長することでインダクタンス値を容易に増加させることができる。
なお、第２導線部１１５ｂの線路長Ａ＝０[μｍ]の場合、第１、第３導線部１１５ａ、１１５ｃは互いに直線的に接続される。すなわち、第２導線部１１５ｂの線路長Ａ＝０[μｍ]の場合は、蛇行部を有しない増幅器１１０を示す。
【００２２】
以上説明したように、この実施形態に係る増幅器１１０によれば、第１の誘導性導体１１５〜１１８がそれぞれ蛇行部（第２導線部１１５ｂ〜１１８ｂ、第３導線部１１５ｃ〜１１８ｃ、第４導線部１１５ｄ〜１１８ｄ、第５導線部１１５ｅ〜１１８ｅ）を備えた場合、蛇行部を備えない場合の増幅器１１０と比べて同一の回路面積内において、より大きなインダクタンス値を得ることができる。
また、増幅器１１０では、第２導線部１１５ｂ及び第５導線部１１５ｅ…第２導線部１１８ｂ及び第５導線部１１８ｅをそれぞれ第１導線部１１５ａ及び第６導線部１１５ｆ…第１導線部１１８ａ及び第６導線部１１８ｆの他端から回路基板１２４の仮想的な正方形の内側に略直角に屈曲させることにより、増幅器１１０のサイズを増加させることなく第１の誘導性導体１１５〜１１８全体の線路長を容易に延長させることができる。この結果、無線機１の回路動作に必要なインダクタンス値が不足する場合、第２導線部１１５ｂ〜１１８ｂ及び第５導線部１１５ｅ〜１１８ｅを延長させることで所望のインダクタンスを得られる。
【００２３】
ここで、蛇行部にスパイラルインダクタを適用した場合を考える。この場合、スパイラルインダクタの自己インダクタンスと、スパイラルを構成する導線の相互間の浮遊容量によって、インダクタのQ値及び自己共振周波数の低下を招き、回路の性能低下の原因となる。
この実施の形態の増幅器１１０では、蛇行部が、誘導性を備えた直線状の第２〜第５導線部１１５ｂ〜１１５ｅ…第２導線部１１８ｂ〜１１８ｅにより構成されるので、スパイラルインダクタを適用した蛇行部よりもQ値と自己共振周波数の低下を抑えることができる。
【００２４】
（第２の実施の形態）
次に図６を参照して、本発明の第２の実施の形態に係る増幅器２１０を説明する。
この実施の形態の増幅器２１０は、第１の実施の形態の増幅器１１０の第１の誘導性導体１１５〜１１８の形状を変化させたものである。したがって、以下の説明では、第１の実施の形態の増幅器１１０と重複する部分には同一の符号を付け詳細な説明は省略する。
【００２５】
図６に示すようにこの実施の形態の増幅器２１０は、それぞれ第１の実施の形態と同様の構成を有し、共通する作用を発揮する利得段１１１〜１１４及びＤＣ電源ＶＤＤ１２５ａ〜１２５ｄを備える。
また、増幅器２１０は、第１の誘導性導体２１５〜２１８及び第２の誘導性導体２２３を備える。
第１の誘導性導体２１５は、それぞれ直線状の第１導線部２１５ａ〜第８導線部２１５ｊが接続されて構成されている。
同様に、第１の誘導性導体１１６は第１導線部１１６ａ〜第６導線部１１６ｊが、第１の誘導性導体１１７は第１導線部１１７ａ〜第６導線部１１７ｊが、第１の誘導性導体１１８は第１導線部１１８ａ〜第６導線部１１８ｊがそれぞれ接続されて構成されている。
【００２６】
第１の誘導性導体２１５において、第１導線部２１５ａ〜第６導線部２１５ｆはそれぞれ第１の実施の形態の増幅器１１０が備える第１導線部１１５ａ〜第６導線部１１５ｆとほぼ同じの形状に形成される。
第７導線部２１５ｇは第６の直線部をなしている。第１０導線部２１５ｊは第７の直線部をなしている。第８導線部２１５ｈは第８の直線部をなしている。第９導線部２１５ｉは第９の直線部をなしている。第７導線部２１５ｇ〜第１０導線部２１５ｊは、第２導線部１１５ｂ〜第５導線部１１５ｅとともに仮想的な正方形の内側に向かって屈曲する凹部を構成する。
第７導線部２１５ｇは、一端を第１導線部２１５ａの他端に接続され、他端を第２導線部２１５ｂの一端に接続される。第１０導線部２１５ｊは、一端を第６導線部２１５ｆの他端に接続され、他端を第５導線部２１５ｅの一端に接続される。
第７導線部２１５ｇ及び第１０導線部２１５ｊは、それぞれ第１導線部２１５ａ及び第６導線部２１５ｆの他端から回路基板１２４の仮想的な正方形の内側に向かって所定の角度を持って設けられる。この実施の形態では、一例として第７導線部２１５ｇ及び第１０導線部２１５ｊは、第１導線部２１５ａ及び第６導線部２１５ｆの一端から約４５°の角度をもって設けられている。
【００２７】
第８導線部２１５ｈは、一端を第２導線部２１５ｂの一端に接続され、他端を第３導線部２１５ｃの一端に接続される。第９導線部２１５ｉは、一端を第５導線部２１５ｅの一端に接続され、他端を第３導線部２１５ｄの一端に接続される。
第８導線部２１５ｈ及び第９導線部２１５ｉは、それぞれ第２導線部２１５ｂ及び第５導線部２１５ｅの他端から回路基板１２４の仮想的な正方形の内側に向かって所定の角度を持って設けられる。この実施の形態では、一例として第８導線部２１５ｈ及び第９導線部２１５ｉは、それぞれ第２導線部２１５ｂ及び第５導線部２１５ｅの他端から約４５°の角度をもって設けられている。
【００２８】
第１の誘導性導体２１５と同様に、第２〜第４の誘導性導体２１６〜２１８において、第７導線部２１６ｇ及び第１０導線部２１６ｊ…第７導線部２１８ｇ及び第１０導線部２１８ｊはそれぞれ第６の直線部及び第７の直線部をなしている。第８導線部２１６ｈ及び第９導線部２１６ｉ…第８導線部２１８ｈ及び第９導線部２１８ｉはそれぞれ第８の直線部及び第９の直線部をなしている。
すなわち、第７導線部２１６ｇ〜第１０導線部２１６ｊ…第７導線部２１８ｇ〜第１０導線部２１８は、それぞれ第２導線部１１６ｂ〜第５導線部１１６ｅ…第２導線部１１８ｂ〜第５導線部１１８ｅとともに、仮想的な正方形の内側に向かって屈曲する凹部を構成する。
第２の誘導性導体１２３の形状は、第１の誘導性導体１１５〜１１８と対応して略同一形状とされている。
【００２９】
以上のように構成された増幅器２１０では、所定の角度をもって設けられる第７導線部２１５ｇ〜２１８ｇ、第８導線部２１５ｈ〜２１８ｈ、第９導線部２１５ｉ〜２１８ｉ、第１０導線部２１５ｊ〜２１８ｊにより各導線部間の屈曲がゆるやかになる。
この結果、上記第１の実施の形態のように各導線部を略直角に屈曲させた場合に比べ、それぞれの屈曲部で起こる高周波電流の反射による損失を低減できる。
なお、第７導線部２１５ｇ〜２１８ｇ、第８導線部２１５ｈ〜２１８ｈ、第９導線部２１５ｉ〜２１８ｉ、第１０導線部２１５ｊ〜２１８ｊの形状は直線状に限定されず円弧状でもよい。この場合、各導線部の接続がさらに滑らかになり、それぞれの接続部で起こる高周波電流の反射による損失をより低減できる。
【００３０】
（第３の実施の形態）
次に図７、８を参照して、本発明の第３の実施の形態に係る増幅器３１０を説明する。図８では、説明を解りやすくするため、増幅器３１０が備える第２の誘導性導体３２３を省略して示す。
この実施の形態の増幅器３１０は、第１の実施の形態の増幅器１１０の第１の誘導性導体１１６〜１１８の形状を変化させたものである。したがって、以下の説明では、第１の実施の形態の増幅器１１０と重複する部分には同一の符号を付け詳細な説明は省略する。
【００３１】
図７に示すようにこの実施の形態の増幅器３１０は、それぞれ第１の実施の形態と同様の構成を有し、共通する作用を発揮する利得段１１１〜１１４及びＤＣ電源ＶＤＤ１２５ａ〜１２５ｄを備える。
また、増幅器３１０は、第１の誘導性導体３１５〜３１８及び第２の誘導性導体３２３を備える。
利得段１１１〜１１４及びＤＣ電源ＶＤＤ１２５ａ〜１２５ｄの配置は、第１の実施の形態の増幅器１１０とほぼ同じである。
サブ利得段１１１ａ及びサブ利得段１１４ｂの正の出力端子は、互いに第１の誘導性導体３１５によって接続される。同様に、サブ利得段１１２ａ及びサブ利得段１１１ｂ…サブ利得段１１４ａ及びサブ利得段１１３ｂはそれぞれ第１の誘導性導体３１６〜３１８によって互いに接続される。
第２の誘導性導体３２３の形状は、第１の誘導性導体３１５〜３１８と対応して略同一形状とされている。
【００３２】
図８に示すように第１の誘導性導体３１５は、それぞれ直線状の第１導線部３１５ａ〜第８導線部３１５ｈが接続されて構成されている。
同様に、第１の誘導性導体３１６は第１導線部３１６ａ〜第８導線部３１６ｈが、第１の誘導性導体３１７は第１導線部３１７ａ〜第８導線部３１７ｈが、第１の誘導性導体３１８は第１導線部１１８ａ〜第８導線部１１８ｈがそれぞれ接続されて構成されている。
第１の誘導性導体３１５において、第１導線部３１５ａは第１０の直線部をなしている。第８導線部３１５ｈは第１１の直線部をなしている。第１導線部３１５ａ及び第８導線部３１５ｈは、回路基板１２４上の仮想的な正方形の一辺に沿って配置されている。
第１導線部３１５ａは、一端がサブ利得段１１１ａの正の出力端子に接続される。第８導線部１１５ｈは、一端がサブ利得段１１４ｂの正の出力端子に接続される。
【００３３】
第２導線部３１５ｂは第１２の直線部をなしている。第７導線部３１５ｇは第１３の直線部をなしている。第３導線部３１５ｃは第１４の直線部をなしている。第６導線部３１５ｆは第１５の直線部をなしている。第４導線部３１５ｄ及び第５導線部３１５ｅは第１６の直線部をなしている。
すなわち、第２導線部３１５ｂ〜第７導線部３１５ｇは蛇行部である。第２導線部３１５ｂ〜第７導線部３１５ｇは、仮想的な正方形の外側に向かって屈曲する凹部を構成する。すなわち、第２導線部３１５ｂ及び第７導線部３１５ｇは、それぞれ第１導線部３１５ａ及び第８導線部３１５ｈから仮想的な正方形の内側に略直角に屈曲し、配置されている。
第３導線部３１５ｃ及び第６導線部３１５ｆは、それぞれ第２導線部３１５ｂ及び第７導線部３１５ｇから仮想的な正方形の外側に略直角に屈曲し、所定の線路長を持って配置されている。
また、第４導線部３１５ｄ及び第５導線部３１５ｅは、第３導線部３１５ｃ及び第６導線部３１５ｆの一端を互いに接続する。
第４導線部３１５ｄ及び第５導線部３１５ｅは、互いに一端を共有し、ＤＣ電源ＶＤＤ１２５ｄの端子にそれぞれ一体的に接続される。
【００３４】
なお、第１の実施の形態の第１導線部１１５ａ及び第６導線部１１５ｆと同様に、第１導線部３１５ａ及び第８導線部３１５ｈは、仮想的な正方形の一辺と略平行でなくてもよい。同様に、第２導線部３１５ｂ及び第７導線部３１５ｇは、それぞれ第１導線部３１５ａ及び第８導線部３１５ｈから仮想的な正方形の内側に略直角に屈曲させずとも、第１導線部３１５ａ及び第８導線部３１５ｈから０°より大きな角度であれば、所定の角度で屈曲させることができる。また、第３導線部３１５ｃ及び第６導線部３１５ｆも仮想的な正方形の外側に略直角に屈曲させずとも所定の角度をもって屈曲させることができる。
【００３５】
第１の誘導性導体３１５と同様に、第１の誘導性導体３１６〜３１８において、第１導線部３１６ａ及び第８導線部３１６ｈ…第１導線部３１８ａ及び第８導線部３１８ｈはそれぞれ第１０の直線部及び第１１の直線部をなしている。第１導線部３１６ａ及び第８導線部３１６ｈ…第１導線部３１８ａ及び第８導線部３１８ｈは回路基板１２４上の仮想的な正方形の一辺に沿って配置されている。
第１導線部３１６ａ、３１７ａ、３１８ａは、それぞれ一端がサブ利得段１１３ａ、１１２ａ、１１４ａの正の出力端子に接続される。第８導線部３１６ｈ、３１７ｈ、３１８ｈは、それぞれ一端がサブ利得段１１２ｂ、１１１ｂ、１１３ｂの正の出力端子に接続される。
【００３６】
また、第１の誘導性導体３１６〜３１８において、第２導線部３１６ｂ及び第７導線部３１６…第２導線部３１８ｂ及び第７導線部３１８ｇはそれぞれ第１２の直線部及び第１３の直線部をなしている。第４導線部３１６ｄ及び第５導線部３１６ｅ…第４導線部３１８ｄ及び第５導線部３１８ｅは第１６の直線部をなしている。
すなわち、第２導線部３１６ｂ〜第７導線部３１６ｇ…第２導線部３１８ｂ〜第７導線部３１８ｇはそれぞれ蛇行部である。第２導線部３１６ｂ〜第７導線部３１６ｇ…第２導線部３１８ｂ〜第７導線部３１８ｇは、仮想的な正方形の外側に向かって屈曲する凹部を構成する。
第４導線部３１６ｄ及び第５導線部３１６ｅ…第４導線部３１８ｄ及び第５導線部３１８ｅは、一端を共有し、ＤＣ電源ＶＤＤ１２５ｂ〜１２５ｄの端子にそれぞれ接続される。
【００３７】
以上のような構成を備える増幅器３１０によれば、第１の誘導性導体３１５〜３１８及び第２の誘導性導体３２３を効率よく延長することができる。したがって、より高いインダクタンス値の確保が可能となる。
また、増幅器３１０では、第２導線部３１５ｂ及び第７導線部３１７ｇ、第２導線部３１６ｂ及び第７導体部３１８ｇ、第２導線部３１８ｂ及び第６導線部３１５ｇ、第２導線部３１８ｂ及び第２導線部３１７ｂはそれぞれ直交する。この結果、第１の誘導性導体３１５〜３１８同士の磁界結合を抑制することができる。
増幅器３１０では、第１の誘導性導体３１５〜３１８に対応する形状に形成された第２の誘導性導体３２３とともに複数の環状部Ｃ１〜Ｃ４が形成される（図７参照）。
複数の環状部Ｃ１〜Ｃ４は、互いに所定の距離を置いて形成される（例えば、図中の距離Ｂ）。このように配置することにより、例えば、出力端子１２３ａ、１２３ｂ近傍の第２の誘導性導体３２３同士の磁界の打ち消し合いを防止することができる。この結果、磁界の打ち消し合いによって生ずる実効的なインダクタンス値の低下を避けることができる。
なお、各導線部の交点では、導体間の短絡が起きないように、樹脂などで絶縁処理が施される。
【００３８】
（第４の実施の形態）
次に図９を参照して、本発明の第４の実施の形態に係る増幅器４１０を説明する。この実施の形態の増幅器４１０は、第１の実施の形態の増幅器１１０のＤＣ電源ＶＤＤ１２５ａ〜１２５ｄの配置と、利得段１１１〜１１４の配置を入れ替えたものである。
したがって、以下の説明では、第１の実施の形態の増幅器１１０と重複する部分には同一の符号を付け詳細な説明は省略する。
同図に示すようにこの実施の形態の増幅器４１０は、それぞれ第１の実施の形態と利得段１１１〜１１４及びＤＣ電源ＶＤＤ１２５ａ〜１２５ｄと同様の構成を有し、共通する作用を発揮する利得段４１１〜４１４及びＤＣ電源ＶＤＤ４２５ａ〜４２５ｄを備える。また、増幅器４１０は、第１の誘導性導体４１５〜４１８を備える。
ＤＣ電源ＶＤＤ４２５ａ〜４２５ｄは、回路基板１２４上の仮想的な正方形Ｓ５の各頂点の近傍にそれぞれ分散されて配置される。
利得段４１１〜４１４は、図２に示す仮想的な円Ｃ１よりも径が小さい回路基板１２４上の仮想的な円Ｃ２の円周上にそれぞれ分散されて配置される。また、利得段利得段４１１〜４１４は、正方形Ｓ５の各辺の中央部近傍に配置される。利得段４１１〜４１４は、それぞれ一対のサブ利得段４１１ａ及び４１１ｂ〜４１４ａ及び４１４ｂを有する。
【００３９】
第１の誘導性導体４１５〜４１８は、ＤＣ電源ＶＤＤ４２５ａ〜４２５ｄを角として略正方形をなすように配線される。
第１の誘導性導体４１５は、それぞれ直線状の第１導線部４１５ａ〜第６導線部４１５ｆが接続されて構成されている。
同様に、第１の誘導性導体１１６は第１導線部４１６ａ〜第６導線部４１６ｆが、第１の誘導性導体４１７は第１導線部４１７ａ〜第６導線部４１７ｆが、第１の誘導性導体１１８は第１導線部４１８ａ〜第６導線部４１８ｆがそれぞれ接続されて構成されている。
【００４０】
第１の誘導性導体４１５において、第１導線部４１５ａ〜第６導線部４１５ｆはそれぞれ第１７〜第２２の直線部をなしている。すなわち、第１導線部４１５ａ〜第６導線部４１５ｆは蛇行部である。
第１導線部４１５ａは、一端をＤＣ電源ＶＤＤ４２５ａに接続される。第１導線部４１５ａは、ＤＣ電源ＶＤＤ４２５ａと、このＤＣ電源ＶＤＤ４２５ａと隣り合うＤＣ電源ＶＤＤ４２５ｄとを結ぶ仮想的な正方形Ｓ５の一辺に沿って設けられる。
【００４１】
第２導線部４１５ｂは、第１導線部４１５ａの他端から回路基板１２４の仮想的な正方形Ｓ５の内側に向かって所定の角度で設けられる。ここでは一例として第２導線部４１５ｂは、第１導線部４１５ａから略直角に設けられている。
第３導線部４１５ｃは、第２導線部４１５ｂの他端と、サブ利得段４１１ｂの正の出力端子と接続する。
【００４２】
第４導線部４１５ｄは、一端をＤＣ電源ＶＤＤ４２５ａに接続される。第４導線部４１５ｄは、ＤＣ電源ＶＤＤ４２５ａと、このＤＣ電源ＶＤＤ４２５ａと隣り合うＤＣ電源ＶＤＤ４２５ｂとを結ぶ仮想的な正方形Ｓ５の一辺に沿って設けられる。すなわち、第４導線部４１５ｄは、第１導線部４１５ａと直交する。
第５導線部４１５ｅは、第４導線部４１５ｄの他端から回路基板１２４の仮想的な正方形の内側に向かって所定の角度で設けられる。ここでは一例として第２導線部４１５ｂは、第１導線部４１５ａから略直角に設けられている。
第６導線部４１５ｆは、第５導線部４１５ｅの他端と、サブ利得段４１４ａの正の出力端子と接続する。
【００４３】
以上が第１の誘導性導体４１５の説明である。なお、第１の実施の形態の第１導線部１１５ａ及び第６導線部１１５ｆと同様に、第１導線部４１５ａ及び第４導線部４１５ｄは、仮想的な正方形Ｓ５の一辺に略平行でなくてもよい。
【００４４】
第１の誘導性導体４１６〜４１８において、第１の誘導性導体４１５と同様に、第１導線部４１６ａ〜第６導線部４１６ｆ…第１導線部４１８ａ〜第６導線部４１８ｆは第１７〜第２２の直線部をなしている。すなわち、第１導線部４１６ａ〜第６導線部４１６ｆ…第１導線部４１８ａ〜第６導線部４１８ｆは蛇行部である。
第１導線部４１６ａ〜４１８ａは、それぞれ一端をＤＣ電源ＶＤＤ４２５ｂ〜４２５ｄに接続され、第１導線部４１５ａと同様に隣り合うＤＣ電源ＶＤＤ間を結ぶ仮想的な正方形Ｓ５の一辺に沿って設けられる。
【００４５】
第２導線部４１６ｂ〜４１８ｂは、それぞれ第１導線部４１６ａ〜４１８ａの他端から回路基板１２４の仮想的な正方形Ｓ５の内側に向かって設けられる。
第３導線部４１６ｃ〜４１８ｃは、第２導線部４１６ｂ〜４１８ｂの他端と、サブ利得段４１２ｂ〜４１４ｂの正の出力端子をそれぞれ接続する。
【００４６】
第４導線部４１６ｄ〜４１８ｄは、第１導線部４１５ｄと同様に、それぞれ一端をＤＣ電源ＶＤＤ４２５ｂ〜４２５ｄに接続され、隣り合うＤＣ電源ＶＤＤ間を結ぶ仮想的な正方形Ｓ５の一辺に沿って設けられる。
第５導線部４１６ｅ〜４１８ｅは、それぞれ第４導線部４１６ｄ〜４１８ｄの他端から回路基板１２４の仮想的な正方形Ｓ５の内側に向かって設けられる。
第６導線部４１５ｆ〜４１８ｆは、それぞれ第５導線部４１６ｅ〜４１８ｅの他端とサブ利得段４１２ａ〜４１４ａの正の出力端子を接続する。
以上のような構成を有する増幅器４１０では、仮想的な円Ｃ２の円周上に利得段４１０ａ〜４４０ａを配置することによって増幅器４１０をより小面積化することができる。
【００４７】
（第５の実施の形態）
次に図１０を参照して、本発明の第５の実施の形態に係る増幅器５１０を説明する。この実施の形態の増幅器５１０は、第１の実施の形態の増幅器１１０にチョークインダクタ５００ａ〜５００ｄを配置したものである。
したがって、以下の説明では、第１の実施の形態の増幅器１１０と重複する部分には同一の符号を付け詳細な説明は省略する。
同図に示すようにこの実施の形態の増幅器５１０は、それぞれ第１の実施の形態と同様の構成、作用を備える利得段１１１〜１１４、第１の誘導性導体１１５〜１１８、第２の誘導性導体１１５〜１１８及びＤＣ電源ＶＤＤ１２５ａ〜１２５ｄを備える。利得段１１１〜１１４、第１の誘導性導体１１５〜１１８、第２の誘導性導体１１５〜１１８などの配置は。第１の実施の形態の増幅器１１０とほぼ同じである。
【００４８】
チョークインダクタ５００ａ〜５００ｄは増幅器５１０に供給される電源電流を安定化する機能を備える。したがって、チョークインダクタ５００ａ〜５００ｄを回路基板１２４に配置することによって外部の電源フィルタを小型化又は削減することができる。
チョークインダクタ５００ａは、一端を第３導線部１１５ｃ及び第４導線部１１５ｄの一端に接続される。チョークインダクタ５００ａは、他端をＤＣ電源ＶＤＤ１２５ａに接続される。すなわち、チョークインダクタ５００ａは、第３導線部１１５ｃ及び第４導線部１１５ｄとＤＣ電源ＶＤＤ１２５ａの間に配置される。
チョークインダクタ５００ａは、第２導線部１１５ｂ、１１５ｅに挟まれた空間の略中央部に配置される。なお、チョークインダクタ５００ａは直線形状のみではなく、屈曲形状や環状形状に形成することもできる。この場合であっても、チョークインダクタ５００ａは第２導線部１１５ｂ、１１５ｅで挟まれた空間内に収まるように配置されることが望ましい。
【００４９】
チョークインダクタ５００ｂ〜５００ｄは、チョークインダクタ５００ａと同様に、それぞれ一端を第３導線部１１６ｃ及び第４導線部１１６ｄ…第３導線部１１８ｃ及び第４導線部１１８ｄの一端に接続される。
チョークインダクタ５００ｂ〜５００ｄは、それぞれ他端をＤＣ電源ＶＤＤ１２５ｂ〜ＶＤＤ１２５ｄに接続される。
チョークインダクタ５００ｂ〜５００ｄは、それぞれ第２導線部１１６ｂ及び１１６ｅ…第２導線部１１８ｂ及び１１８ｅに挟まれた空間の中央部に配置される。
【００５０】
次に図１１、１２を用いて、第２導線部１１５ｂ〜１１８ｂおよびチョークインダクタ５００ａ〜５００ｄの線路長とインダクタンスの関係について説明する。
第１の誘導性導体１１５〜１１８は、それぞれほぼ同じ構成を有し、共通する作用を発揮するのでここでは第１の誘導性導体１１５について詳細に説明し、その他の第１の誘導性導体１１５〜１１８については説明は省略する。
また、第１の誘導性導体１１５の第１〜第３導線部１１５ａ〜１１５ｃと第４〜第６導線部１１５ｄ〜１１５ｆは、互いにＤＣ電源ＶＤＤ１２５ａの配置位置を対称線とした線対称性を有しているのでここでは第１〜第３導線部１１５ａ〜１１５ｃについて詳細に説明し、その他の第４〜第６導線部１１５ｄ〜１１５ｆについては説明は省略する。
同様にここではチョークインダクタ５００ａについて説明する。
【００５１】
図１１に示すように、第１〜第３導線部１１５ａ〜１１５ｃおよびチョークインダクタ５００ａの幅Ｗはそれぞれ共通して３０[μｍ]に形成されている。また、第１導線部１１５ａは、線路長が第２導線部１１５ｂの中心線（図中の破線）から３５０[μｍ]となるように形成されている。第３導線部１１５ｃは、線路長が第２導線部１１５ｂの中心線から１５０[μｍ]となるように形成されている。
【００５２】
第１、第３導線部１１５ａ、１１５ｃを上記のように形成したときに第２導線部１１５ｂ〜１１８ｂ及びチョークインダクタ５００ａの線路長Ａを０〜２５０[μｍ]とした場合に得られるインダクタンスを図１２に示す。
すなわち、図１２は第２導線部１１５ｂ及びチョークインダクタ５００ａの線路長Ａの増分と、第１〜第３導線部１１５ａ〜１１５ｃにより得られるインダクタンス成分との関係を示している。
第２導線部１１５ｂ〜１１８ｂの線路長を５０〜２５０[μｍ]の範囲で変化させた場合には、線路長Ａの長さに対応してインダクタンス値が０．４〜０．６[ｎＨ]の間で順に増加する。特に、線路長Ａを５０[μｍ]以上とした場合、インダクタンスの値の増加が顕著になる。
チョークインダクタ５００ａの線路長を０〜２５０[μｍ]の範囲で変化させた場合には、線路長Ａの長さに対応してインダクタンス値が０〜０．２[ｎＨ]の間で順に増加する。
このように、第２導線部１１５ｂ及びチョークインダクタ５００ａの線路長を延長することでそれぞれのインダクタンス値を容易に増加させることができる。
なお、チョークインダクタ５００ａの線路長Ａ＝０[μｍ]はチョークインダクタ５００ａを有しない状態を示す。
【００５３】
以上のような構成を備える増幅器５１０では、第２導線部１１５ｂ、１１５ｅ…第２導線部１１８ｂ、１１８ｅにそれぞれ挟まれた空間の中央部にチョークインダクタ５００ａ〜５００ｄをそれぞれ配置することによって増幅器５１０をより小面積化することができる。
従来、チョークインダクタ５００ａ〜５００ｄは、配置される面積の都合上、増幅器５１０の外に配置する場合が多かった。この場合、チョークインダクタ５００ａ〜５００ｄの配置面積に対応して、回路面積が増大することがあった。
増幅器５１０では、空間の中央部にチョークインダクタ５００ａ〜５００ｄを配置することによって回路の面積を拡大することなく、チョークインダクタ５００ａ〜５００ｄを配置させることができるため、回路面積の増大を防止することができる。
【００５４】
また、第２導線部１１５ｂ〜１１８ｂの線路長を延長することによってチョークインダクタ５００ａ〜５００ｄの線路長を容易に延長させることができる。したがって、チョークインダクタ５００ａ〜５００ｄのインダクタンス値を容易に増加させることができる。
【００５５】
（その他の実施の形態）
なお、本発明は上記実施の形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
例えば、上記実施の形態では、第１の誘導性導体１１５〜１１８と第２の誘導性導体１２３とを回路基板１２４上の同一平面に設けた例を説明したが、第１の誘導性導体１１５〜１１８導体及び導体と第２の誘導性導体１２３が互いに上下に重なる構造でも良い。この場合、第１の誘導性導体１１５〜１１８導体及び導体と第２の誘導性導体１２３とが短絡しないように所定の空間を空けてこれらを上下に重ならせる。
【００５６】
また、上記実施の形態では、送信信号生成部１０１によってデジタル信号がアナログ信号に変換されたが、送信信号生成部１０１はこの変換を行わなくともよい。すなわち、本発明の他の形態に係る無線機１には、デジタル信号のみを扱ものも含まれる。また、本発明の他の形態に係る無線機１には、アナログ信号のみを扱うものも含まれる。
【符号の説明】
【００５７】
１…無線機、１０１…送信信号生成部、１０１ａ…変調部、１０１ｂ…ＤＡＣ、１０５…波数変換部、１０５ａ…発振器、１０５ｂ…ミキサ、１１０〜５１０…増幅器、１１１〜４１４…利得段、１１１ａ,１１１ｂ〜４１４ｂ,４１４ｂ…サブ利得段、１２４…回路基板、１１５〜４１８…第１の誘導性導体、１１５ａ〜４１８ａ…第１導線部、１１５ｂ〜４１８ｂ…第２導線部、１１５ｃ〜４１８ｃ…第３導線部、１１５ｄ〜４１８ｄ…第４導線部、２１５ｅ〜３１８ｅ…第５導線部、２１５ｆ〜３１８ｆ…第６導線部、２１５ｇ〜３１８ｇ…第７導線部、２１５ｈ〜３１８ｈ…第８導線部、２１５ｉ〜２１８ｉ…第９導線部、２１５ｊ〜２１８ｊ…第１０導線部、１２５ａ〜４２５ｄ…ＤＣ電源ＶＤＤ、１２３〜３２３…第２の誘導性導体、１２３ａ,１２３ｂ…出力端子間、５００ａ〜５００ｄ…チョークインダクタ、１５０…アンテナ。
【図１】
2010212795.tif 000003
【図２】
2010212795.tif 000004
【図３】
2010212795.tif 000005
【図４】
2010212795.tif 000006
【図５】
2010212795.tif 000007
【図６】
2010212795.tif 000008
【図７】
2010212795.tif 000009
【図８】
2010212795.tif 000010
【図９】
2010212795.tif 000011
【図１０】
2010212795.tif 000012
【図１１】
2010212795.tif 000013
【図１２】
2010212795.tif 000014